(57)【特許請求の範囲】
【請求項１】
情報の送受信を行う携帯無線装置において、
円錐形状を有し、前記円錐形状の底面に平行に切断された底部と前記底部に対して着脱自在に載置される頂部とからなる筐体と、
前記頂部の先端に取り付けられたリング状のワイヤアンテナと、
前記頂部に対向する側の前記底部の上面に取り付けられた撮像部と、
前記頂部と反対側の底部の下面に設けられた画像表示部と、を備え、
前記画像表示部は、
Ｒ（赤）、Ｇ（緑）、Ｂ（青）の３原色光を順次出射する光源と、
前記３原色光に対応する映像信号に応じて駆動される共に前記３原色光を反射する複数の画素電極及び前記複数の画素電極上に形成された前記３原色光の光変調を行う光変調層を有する反射型液晶パネルと、
前記複数の画素電極で反射され、前記光変調層を介して出射される前記３原色光の光路上に配置され、前記３原色光を拡大表示させるレンズと、を備えたことを特徴とする携帯無線装置。
【発明の詳細な説明】
【０００１】
【発明の属する技術分野】
本発明は、画像情報及び文字情報等の送受信を行う携帯無線装置に関する。
【０００２】
【従来の技術】
従来の携帯無線装置としては、図８に示すものがある。
図８は、従来の携帯無線装置を示す概略図である。
携帯無線装置３７は、無線機基台５の上部には送信されてきた情報を受信すると共に携帯無線装置３７側からの情報を送信するアンテナ７を有し、その前面５Ａにはスピーカ８とマイク９とが設けられ、更に、スピーカ８とマイク９との間には、複数のプッシュボタンで構成され、数字や文字等を入力する入力キー部１０と、電話番号や相手の名前等の表示を行う表示パネル１１と、その側部５Ｂには電源１２とが配置されている。
【０００３】
【発明が解決しようとする課題】
しかしながら、画像や地図といった画像情報を表示パネル１１に表示する場合には、表示パネル１１の大型化が必要になるため、携帯無線装置３７の大きさも大型化し、携帯しづらくしていた。
また、表示パネル１１にはバックライトが必要なため、消費電力が大きかった。
そこで、本発明は、上記問題に鑑みてなされたものであり、低消費電力で、かつ携帯性に優れた携帯無線装置を提供することを目的とする。
【０００４】
【課題を解決するための手段】
本発明は、情報の送受信を行う携帯無線装置において、円錐形状を有し、前記円錐形状の底面に平行に切断された底部と前記底部に対して着脱自在に載置される頂部とからなる筐体と、前記頂部の先端に取り付けられたリング状のワイヤアンテナと、前記頂部に対向する側の前記底部の上面に取り付けられた撮像部と、前記頂部と反対側の底部の下面に設けられた画像表示部と、を備え、前記画像表示部は、Ｒ（赤）、Ｇ（緑）、Ｂ（青）の３原色光を順次出射する光源と、前記３原色光に対応する映像信号に応じて駆動される共に前記３原色光を反射する複数の画素電極及び前記複数の画素電極上に形成された前記３原色光の光変調を行う光変調層を有する反射型液晶パネルと、前記複数の画素電極で反射され、前記光変調層を介して出射される前記３原色光の光路上に配置され、前記３原色光を拡大表示させるレンズと、を備えたことを特徴とする携帯無線装置を提供する。
【０００５】
【発明の実施の形態】
以下、本発明の携帯無線装置の一実施形態について、図１乃至図７を用いて説明する。
図１は、本発明の第１実施形態を示す概略図である。
図２は、画像表示部を示す概略図である。
図３は、本発明の第２実施形態を示す概略図である。
図４は、本発明の第３実施形態を示す概略図である。
図５は、本発明の第４実施形態を示す概略図である。
図６は、本発明の第５実施形態を示す概略図である。
図７は、本発明の第６実施形態を示す概略図である。
従来技術と同一構成には同一符号を付し、その説明を省略する。
【０００６】
まずは、本発明の第１実施形態について図１及び図２を用いて説明する。
図１に示すように、本発明の第１実施形態の携帯無線装置１は、送受信部２と、この送受信部２にヒンジ等の連結部４を介して接続され、送受信部２に対して折り畳み可能な表示部３とからなる。そして、上記した送受信部２、表示部３、連結部４で携帯無線装置１の筐体を構成している。
更に、この表示部３の無線機基台５の先端部には送信されてきた画像や文字等の情報を受信すると共に携帯無線装置１側からの情報を送信する伸縮自在のアンテナ７と、無線機基台５の前面５Ａには通話中に受信した相手の声を聞くためのスピーカ８と自分の声を入力するマイク９とが設けられ、このスピーカ８とマイク９との間には、複数のプッシュボタンで構成され、受発信キーや数字キー等を含む入力キー部１０と、電話番号等の文字情報を表示する表示パネル１１とが配置されている。
また、無線機基台５の側部５Ｂには電源１２を備えている。
【０００７】
表示部３の可動部６の先端部には、画像等の情報を拡大して表示する画像表示部１３が埋め込まれている。
図２に示すように、画像表示部１３は、Ｒ（赤）Ｇ（緑）Ｂ（青）の３原色光を順次出射する光源１４と、この光源１４から出射した光を偏光分離する偏光器１５と、光源１４に接続されたメモリ１８と、画像表示を行う反射型液晶パネル１６と、偏光器１５を介して前記反射型液晶パネル１６で反射された情報光を拡大するレンズ１７とからなる。
反射型液晶パネル１６は、メモリ１８から呼び出された各種情報、又はアンテナ７から受信された情報のいずれかによって駆動する駆動回路１６Ａと、前記駆動回路１６Ａによって選択的に制御される複数の画素電極からなり、前記３原色光を反射する画素電極層１６Ｂと、入射する３原色光を光変調する光変調層１６Ｃと、透明ガラス１６Ｄとが駆動回路１６Ａ上に順次積層されてなる。
【０００８】
また、メモリ１８は、アンテナ７、光源１４及び反射型液晶パネル１６の駆動回路１６Ａと接続され、アンテナ７からの受信情報や予め格納されている画像等の各種情報を格納する。
なお、光源１４は、駆動回路１６Ａに情報信号が入力されると同時に光を出射するようになっている。
【０００９】
次に、その作用について説明する。
相手と通話する場合及び画像や文字等の情報を送受信する場合について考える。
まずは、相手と通話する場合について説明する。
相手に電話をかける場合には、電源１２をオンし、入力キー部１０を操作して相手の電話番号を入力し、発信キーを押して、相手を呼び出した後、マイク９とスピーカ８を用いて通話する。
相手からの電話を受信する場合には、電源１２をオンした状態で、呼び出し音が鳴った後、受信キーを押して、マイク９とスピーカ８を用いて通話する。
【００１０】
次に、画像や文字等の情報を送受信する場合について説明する。
まず、画像や文字等の情報を送信する場合について説明する。
メモリ１８に予め格納されている画像等の各種情報を送信する場合には、電源１２をオンし、画像表示部１３のレンズ１７を介して反射型液晶パネル１６を覗きながら、入力キー部１０を操作してメモリ１８から所望の情報を選択し、反射型液晶パネル１６に表示させた後、発信キーを押して送信する。
また、アンテナ７から受信された画像や文字等の情報をそのまま送信する場合には、入力キー部１０を操作して、送信する。
【００１１】
以下に、この情報を画像表示部１３の反射型液晶パネル１６に表示できる原理について図２を用いて説明する。
入力キー部１０を操作して、この所望の情報をメモリ１８から選択すると、この情報の信号が反射型液晶パネル１６の駆動回路１６Ａに供給され、画素電極層１６Ｂの複数の画素電極を選択的に駆動すると同時に光源１４から３原色光を出射する。
この３原色光は偏光器１５で偏光分離された後、反射型液晶パネル１６に入射し、光変調層１６Ｃで光変調された後、画素電極層１６Ｂの複数の画素電極で反射され反射型液晶パネル１６の透明ガラス１６Ｄの上方に情報光として出射し、レンズ１７により拡大されたカラー化した前記情報光として表示できる。
【００１２】
次に、画像や文字等の情報を受信する場合には、以下のようにする。
電源１２をオンし、入力キー部１０を操作して、画像や文字等の情報をアンテナ７から受信して、画像表示部１３の反射型液晶パネル１６に表示させる。この情報の視認は、この反射型液晶パネル１６をレンズ１７を介して覗くことによって行うことができる。
表示パネル１１は、電話番号等の簡単な文字情報を表示する時のみ用いられる。
この場合には、反射型液晶パネル１６の駆動回路１６Ａに供給される情報の信号がメモリ１８に格納されている各種情報の代わりにアンテナ７から受信される情報を用いることのみが異なるだけでそれ以外は同様である。
このため、この情報を画像表示部１３の反射型液晶パネル１６に表示できる原理は前記と同様である。
【００１３】
なお、入力キー部１０を操作して、この情報を反射型液晶パネル１６に表示させないで直接メモリ１８に格納して、その後に反射型液晶パネル１６に表示させて受信確認しても良い。
また、反射型液晶パネル１６に表示させた後、メモリ１８に格納しても良い。
【００１４】
更に、予めメモリ１８に格納されている各種情報の視認だけ行いたい場合には、電源１２をオンし、入力キー部１０を操作して、メモリ１８から所望の情報を呼び出し、前記と同様にして、反射型液晶パネル１６を覗くことによって視認できる。
【００１５】
このように、本発明の第１実施形態によれば、送受信する画像や文字等の情報を拡大表示できる画像表示部１３を備えているため、表示パネル１１を大型化する必要がなく、携帯性を容易にすることができる。
また、送受信又はメモリ１８に格納されている各種情報を視認する時だけ駆動回路１６Ａが駆動し、この駆動回路１６Ａによって前記情報が書き込まれた光変調層１６Ｃに光源１４から出射される３原色光を照射して画像表示部１３の反射型液晶パネル１６に表示するので、従来技術で必要とされていたバックライトが不要となるため、低消費電力にすることができる。
更にまた、折り畳めるので、画像表示部１３や入力キー部１０が内側に重ね合わせるようにできるため、機器の破損がなく携帯性を高めることができる。
【００１６】
次に、本発明の第２実施形態について図２及び図３を用いて説明する。
本発明の第１実施形態と同一構成には同一符号を付し、その説明を省略する。
本発明の第２実施形態の携帯無線装置１９は、本発明の第１実施形態の代わりに送受信部２０の無線機基台５の前面５Ａ上にあって、表示パネル１１の上部に被写体を撮影するための撮像部２１を設けたものである。それ以外の構成は、本発明の第１実施形態と同様であり、重複するので、その説明を省略する。
【００１７】
本発明の第２実施形態では、撮像部２１を備えているので、撮像部２１で撮像した被写体の画像を直接、又はメモリ１８に一旦格納した後、入力キー部１０を操作して呼び出し、この画像を前記と同様にして画像表示部１３の反射型液晶パネル１６に表示することができる。
また、この画像を送信する場合、相手と通話をする場合、画像や文字等の情報を送受信する場合及びメモリ１８に格納された各種情報を視認する場合の作用については本発明の第１実施形態と同様である。
【００１８】
本発明の第２実施形態によれば、撮像部２１で撮像した画像も視認したり送信したりできるので、本発明の第１実施形態で説明した効果に加え、用途拡大を図ることができる。
【００１９】
次に、本発明の第３実施形態について図２及び図４を用いて説明する。
本発明の第１乃至２実施形態と同一構成には同一符号を付し、その説明を省略する。
本発明の第３実施形態の携帯無線装置２２は、本発明の第１実施形態の代わりに表示部３を除去し、画像表示部１３を無線機基台５の前面５Ａの上部に埋め込んだものであり、それ以外の構成は、本発明の第１実施形態と同様であり、重複するので、その説明を省略する。
相手との通話をする場合、画像や文字等の情報を送受信する場合及びメモリ１８に格納された各種情報を視認する場合の作用については本発明の第１実施形態と同様である。
本発明の第３実施形態によれば、本発明の第１実施形態の表示部３がないので、本発明の第１実施形態で説明した効果に加え、更に軽量かつ携帯性が増す。
【００２０】
次に、本発明の第４実施形態について図２及び図５を用いて説明する。
本発明の第１乃至第３実施形態と同一構成には同一符号を付し、その説明を省略する。
本発明の第４実施形態の携帯無線装置２３は、無線機基台５と、この無線機基台５の上部には送信されてきた画像や文字等の情報を受信すると共に携帯無線装置２３側からの情報を送信する伸縮自在のアンテナ７と、その側部５Ｂには通話中に受信した相手の声を聞くためのスピーカ８と自分の声を入力するマイク９とが設けられ、更にスピーカ８の上部には画像等の情報を表示する画像表示部１３が埋め込まれている。
また、その前面５Ａの下部にはメモリ１８中の情報を選択及び確定等を行うトラックボール２４、その上部には電源１２を有している。
【００２１】
次に、その作用について説明する。
まずは、相手との通話をする場合やメモリ１８に格納された情報を送る場合の送信について考える。
相手に電話をかける場合には、電源１２をオンし、画像表示部１３のレンズ１７を介して反射型液晶パネル１６を覗いて、トラックボール２４を操作して、画像表示部１３中のメモリ１８に格納された電話帳の中から相手の電話番号を呼び出し、確定して発信キーを押した後、相手を呼び出し、マイク９とスピーカ８を用いて通話する。
相手からの電話を受信する場合には、電源１２をオンした状態で、呼び出し音が鳴った後、受信キーを押して、マイク９とスピーカ８を用いて通話する。
【００２２】
次に、画像や文字等の情報を送受信する場合について説明する。
まず、画像や文字等の情報を送信する場合について説明する。
メモリ１８に格納された情報を送る場合には、画像表示部１３のレンズ１７を介して反射型液晶パネル１６を覗きながら、トラックボール２４を操作して、メモリ１８から所望の情報を反射型液晶パネル１６に表示させた後、発信キーを押して送信する。
この情報を画像表示部１３の反射型液晶パネル１６へ表示させる原理は前記と同様である。
【００２３】
更に、画像や文字等の情報を受信する場合には、以下のようにする。
電源１２をオンし、画像表示部１３のレンズ１７を介して反射型液晶パネル１６を覗きながら、トラックボール２４を操作して、画像や文字等の情報をアンテナ７から受信して、画像表示部１３の反射型液晶パネル１６に表示させる。この情報の視認は、この反射型液晶パネル１６をレンズ１７を介して覗くことによって行うことができる。
更に、予めメモリ１８に格納されている情報の視認だけ行いたい場合には、電源１２をオンし、トラックボール２４を操作して、メモリ１８から所望の情報を呼び出し、前記と同様にして、反射型液晶パネル１６をレンズ１７を介して覗くことによって視認できる。
【００２４】
このように、本発明の第４実施形態によれば、本発明の第３実施形態の入力キー部１０が不要となるので、本発明の第３実施形態で説明した効果に加え、大幅な小型化が可能となり、一層軽量かつ携帯性が増す。
【００２５】
次に、本発明の第５実施形態について図２及び図６を用いて説明する。
本発明の第１乃至第４実施形態の同一構成には同一符号を付し、その説明を省略する。
本発明の第５実施形態の携帯無線装置２５は、底部２６Ａとこの底部２６Ａに着脱自在に取付けられた頂部２６Ｂとからなる円錐状の筐体２６と、この底部２６Ａの底面近傍に埋め込まれた画像表示部１３と、その底部２６Ａの上面に取り付けられた撮像部２１と、その底部２６Ａの円錐側面に取付けられたトラックボール２４及び電源１２とからなる。
更に、頂部２６Ｂの先端にはリング状の留金２７が取付けられ、この留金２７にリング状のワイヤアンテナ２８が接続されている。
【００２６】
この場合は、相手との通話はせず、メモリ１８に格納された各種情報を送ることとアンテナ７から受信された画像や文字等の情報をメモリ１８に格納するだけである。
この携帯無線装置２５は、通常、底部２６Ａと頂部２６Ｂとを一体的に用い、撮像部２１により被写体を撮影する場合には頂部２６Ｂを取り外して行う。
撮像部２１で撮影された画像を送信する場合、画像や文字等の情報を送受信する場合及びメモリ１８に格納された情報を視認する場合の作用については本発明の第４実施形態と同様である。
本発明の第５実施形態によれば、本発明の第４実施形態で説明した効果に加え、ワイヤアンテナ２８を首にかけることができ、持ち歩く際に、更に携帯性が増す。
【００２７】
次に、本発明の第６実施形態について図２及び図７を用いて説明する。
本発明の第１実施形態乃至第５実施形態と同一構成には同一符号を付し、その説明を省略する。
本発明の第６実施形態の携帯無線装置２９は、送受信部３０と、この送受信部３０とケーブル３１で接続されたイヤホン部３２とからなる。
送受信部３０は、無線機基台５と、その先端部に送信されてきた画像や文字等の情報を受信すると共に携帯無線装置２９側からの情報を送信する伸縮自在のアンテナ７と、その前面５Ａに複数のプッシュボタンで構成され、数字や文字等を入力する入力キー部１０と、その側部５Ｂに電源１２を備えている。
一方、イヤホン部３２は、金属や樹脂材等の伸縮自在の第１の連結部３３により接続された一対のイヤホン３４、３４と、第１の連結部３３上にあって一方のイヤホン３４の延長上に接続されたマイク３５と、第１の連結部３３と第２の連結部３６を介して接続された画像表示部１３とからなる。
【００２８】
相手と通話する場合及び画像や文字等の情報を送受信する場合の作用は、ヘッドホン部３２を頭に被った後は、本発明の第１実施形態乃至第３実施形態と同様である。
【００２９】
本発明の第６実施形態によれば、相手との通話や情報の送受信を行う時にはヘッドホン部３２を頭に被り、不要な時にはヘッドホン部３２を首にかけ、送受信部３０をポケットに入れて持ち歩くことができるので、本発明の第３実施形態で説明した効果に加え、更に携帯性に優れる。
【００３０】
【発明の効果】
本発明の携帯無線装置によれば、情報の送受信を行う携帯無線装置において、円錐形状を有し、前記円錐形状の底面に平行に切断された底部と前記底部に対して着脱自在に載置される頂部とからなる筐体と、前記頂部の先端に取り付けられたリング状のワイヤアンテナと、前記頂部に対向する側の前記底部の上面に取り付けられた撮像部と、前記頂部と反対側の底部の下面に設けられた画像表示部と、を備え、前記画像表示部は、Ｒ（赤）、Ｇ（緑）、Ｂ（青）の３原色光を順次出射する光源と、前記３原色光に対応する映像信号に応じて駆動される共に前記３原色光を反射する複数の画素電極及び前記複数の画素電極上に形成された前記３原色光の光変調を行う光変調層を有する反射型液晶パネルと、前記複数の画素電極で反射され、前記光変調層を介して出射される前記３原色光の光路上に配置され、前記３原色光を拡大表示させるレンズと、を備えているので、ワイヤアンテナを首にかけることができ、持ち歩く際に携帯性を増すことができる。
【図面の簡単な説明】
【図１】本発明の第１実施形態を示す概略図である。
【図２】画像投射部を示す概略図である。
【図３】本発明の第２実施形態を示す概略図である。
【図４】本発明の第３実施形態を示す概略図である。
【図５】本発明の第４実施形態を示す概略図である。
【図６】本発明の第５実施形態を示す概略図である。
【図７】本発明の第６実施形態を示す概略図である。
【図８】従来の携帯無線装置を示す概略図である。
【符号の説明】
１、１９、２２、２３、２５、２９…携帯無線装置、２、２０、３０…送受信部（筐体）、３…表示部（筐体）、４…連結部（筐体）、５…無線機基台、６…可動部、７…アンテナ、８…スピーカ、９、３５…マイク、１０…入力キー部、１１…表示パネル、１２…電源、１３…画像表示部、１４…光源（光学手段）、１５…偏光器（光学手段）、１６…反射型液晶パネル、１６Ａ…駆動回路、１６Ｂ…画素電極層、１６Ｃ…光変調層、１６Ｄ…透明ガラス、１７…レンズ、１８…メモリ、２１…撮像部、２４…トラックボール、２６…筐体、２６Ａ…底部、２６Ｂ…頂部、２７…留金、２８…ワイヤアンテナ、３１…ケーブル、３２…ヘッドホン部、３３…第１連結部（連結部）、３４…イヤホン、３６…第２連結部
【図１】
0003733799.tif 000002
【図２】
0003733799.tif 000003
【図３】
0003733799.tif 000004
【図４】
0003733799.tif 000005
【図５】
0003733799.tif 000006
【図６】
0003733799.tif 000007
【図７】
0003733799.tif 000008
【図８】
0003733799.tif 000009